(57)【要約】【課題】流動性を有する食品の温度が適正であるかどうかを容易に判断することができるようにする。【解決手段】所定の箇所に温度表示部が形成され、該温度表示部は、所定の温度で色調が変化する色調変化材から成る。この場合、ストロー２５に色調変化材から成る温度表示部が形成されるので、包装容器１１の内部に収容された流動性を有する食品の温度が適正であるかどうかを容易に判断することができる。したがって、流動性を有する食品を適温の状態で飲用することができる。【選択図】図１
2007167087.tif 000002
【特許請求の範囲】
【請求項１】
（ａ）所定の箇所に温度表示部が形成され、
（ｂ）該温度表示部は、所定の温度で色調が変化する色調変化材から成ることを特徴とするストロー。
【請求項２】
前記温度表示部は、ストローの外周面に色調変化材を被覆することによって形成される請求項１に記載のストロー。
【請求項３】
前記温度表示部は、成形材料に示温材料を混練し、成形することによって形成される請求項１に記載の包装容器。
【請求項４】
請求項１〜３のいずれか１項に記載のストローを備えた包装容器。
【発明の詳細な説明】
【技術分野】
【０００１】
本発明は、ストロー及び包装容器に関するものである。
【背景技術】
【０００２】
従来、牛乳、清涼飲料等の流動性を有する食品、例えば、液体食品は、一般に、紙基材の外面及び内面が、ポリエチレン樹脂等によって被覆されることにより形成された包材から成る包装容器に収容される。該包装容器には、頂壁が平坦（たん）なブリック型、多面体型等がある。このうち、容量の小さい包装容器においては、頂壁に注出口を形成するためのパンチ穴が形成され、該パンチ穴がインナーシール及びプルタブによって覆われる。
【０００３】
したがって、前記液体食品を飲用する場合、包装容器の側面に貼（ちょう）着されたストローパッケージからストローを取り出し、該ストローを注出口に挿入して液体食品を飲用することができる（例えば、特許文献１参照。）。
【特許文献１】特開２００５−１３５８７号公報
【発明の開示】
【発明が解決しようとする課題】
【０００４】
しかしながら、前記従来の包装容器においては、内部に収容された液体食品の温度が適正であるかどうかを知るのが困難であり、液体食品を適温の状態で飲用することができないことがある。
【０００５】
本発明は、前記従来の包装容器の問題点を解決して、流動性を有する食品の温度が適正であるかどうかを容易に判断することができるストロー及び包装容器を提供することを目的とする。
【課題を解決するための手段】
【０００６】
そのために、本発明のストローにおいては、所定の箇所に温度表示部が形成され、該温度表示部は、所定の温度で色調が変化する色調変化材から成る。
【０００７】
本発明の他のストローにおいては、さらに、前記温度表示部は、ストローの外周面に色調変化材を被覆することによって形成される。
【０００８】
本発明の更に他のストローにおいては、さらに、前記温度表示部は、成形材料に示温材料を混練し、成形することによって形成される。
【０００９】
本発明の包装容器においては、請求項１〜３のいずれか１項に記載のストローを備える。
【発明の効果】
【００１０】
本発明によれば、ストローにおいては、所定の箇所に温度表示部が形成され、該温度表示部は、所定の温度で色調が変化する色調変化材から成る。
【００１１】
この場合、ストローに色調変化材から成る温度表示部が形成されるので、包装容器の内部に収容された流動性を有する食品の温度が適正であるかどうかを容易に判断することができる。
【００１２】
したがって、流動性を有する食品を適温の状態で飲用することができる。
【発明を実施するための最良の形態】
【００１３】
以下、本発明の実施の形態について図面を参照しながら詳細に説明する。
【００１４】
図１は本発明の実施の形態における包装容器の斜視図、図２は本発明の実施の形態におけるストローの側面図である。
【００１５】
図において、１１は包装容器、１２は包装容器本体、１３はストローパッケージであり、前記包装容器本体１２は、前壁１５、後壁１６、側壁１７、１８、頂壁１９、底壁２０及び耳片２１を備える。前記頂壁１９において、中央には横シール部分２２が、所定のコーナ部にはストロー孔２３が形成される。
【００１６】
前記包装容器本体１２は、包材を矩（く）形に成形することによって形成され、包材は、包装容器本体１２の外方から内方にかけて最外層、紙基材、接着層、バリヤ層、接着層及び最内層を順に積層することによって形成される。したがって、前記ストロー孔２３は、あらかじめ紙基材、接着層、バリヤ層及び接着層に所定のパンチ穴を形成し、該パンチ穴を最外層及び最内層によって塞（ふさ）ぐことにより、形成される。
【００１７】
なお、通常、最外層、接着層及び最内層は、ポリエチレン（ＰＥ）、エチレン共重合体等の樹脂によって形成される。また、前記最外層及び最内層は、低密度ポリエチレン（ＬＤＰＥ）によって形成されるのが好ましい。そして、バリヤ層はアルミ箔（はく）等によって形成される。なお、最外層の外側表面、又は紙基材の外側表面には必要に応じて所定の印刷が施される。
【００１８】
前記ストローパッケージ１３は、ストロー２５をパッケージ本体２６に収容した状態で包装容器本体１２に溶着される。前記パッケージ本体２６は、熱可塑性樹脂、例えば、ポリエチレンで形成された上下のシートの外周縁を熱又はグルーでシールすることによって形成され、ストロー２５を使用する場合、パッケージ本体２６を指で引き裂くか、又はストロー２５を縦方向にずらし、ストロー２５の先端でパッケージ本体２６を引き裂くことによって開封し、ストロー２５を取り出すことができる。
【００１９】
該ストロー２５は、成形材料としての所定の樹脂、本実施の形態においては、ポリプロピレン樹脂によって形成され、二重管タイプにされ、伸縮自在にされる。そのために、ストロー２５は、外管３２、及び該外管３２内に摺（しゅう）動自在に嵌（かん）入された内管３３を備える。
【００２０】
ところで、前記包装容器１１の内部に収容された液体食品の温度が適正であるかどうかを判断することができないと、液体食品を適温の状態で飲用することができない。例えば、包装容器１１を電子レンジによって加熱することがあるが、包装容器本体１２は、主として紙基材によって形成され、断熱性を有しているので、包装容器１１に触れただけでは液体食品が適温であるかどうかを判断するのが困難である。
【００２１】
そこで、ストロー２５の所定の箇所、本実施の形態においては、ストロー２５の全体に、所定の温度で色調が変化する材料、すなわち、色調変化材から成る温度表示部が形成される。該温度表示部は、ストロー２５の外周面の全体に、示温インキ、示温塗料等の示温材料を被覆することによって形成された被覆層から成る。該被覆層は、前記示温材料を塗布したり、印刷したり、スプレーしたりするか、ストロー２５を示温材料内に浸漬するかして形成される。なお、ストロー２５を形成するに当たり、ポリプロピレン樹脂に前記示温材料を混練して、ストロー２５の少なくとも一部、例えば、外管３２だけ、内管３３だけ、内管３３の先端部だけ、又は外管３２及び内管３３を、温度表示部として成形することができる。また、本実施の形態において、色調の変化には、色の種類の変化のほかに、明度の変化、彩度の変化、透明度の変化等が含まれる。
【００２２】
前記示温材料には、可逆型の示温材料、不可逆型の示温材料、積算型の示温材料等があるが、本実施の形態においては、温度によって可逆的に色調が変化する可逆型の示温材料が使用される。前記示温インキ、示温塗料等は、例えば、結晶形の転移等に伴う色調の変化を利用した材料であり、例えば、Ａｇ2 ＨｇＩ4 、Ｃｕ2 ＨｇＩ4 、Ａｇ2 ＨｇＩ4 −Ｃｕ2 ＨｇＩ4 固溶体等が使用される。なお、Ａｇ2 ＨｇＩ4 の色調が変化する温度を表す変色温度は、５０〔°Ｃ〕であり、Ｃｕ2 ＨｇＩ4 の変色温度は７０〔°Ｃ〕であり、Ａｇ2 ＨｇＩ4 −Ｃｕ2 ＨｇＩ4 固溶体の変色温度は３５〜７０〔°Ｃ〕）である。また、前記示温インキ、示温塗料等として、アサガオの色素を含む有機染料化合物を使用することができる。該有機染料化合物の変色温度は、５〜７０〔°Ｃ〕である。
【００２３】
さらに、前記示温インキ、示温塗料等として、加熱されて結晶水を失って変色し、高湿度の雰囲気下で再び結晶水を含み、元の色に戻る化合物、例えば、Ｎｉ又はＣｏのヘキサメチレンテトラミン塩等を使用することができる。そして、コレステリック液晶を使用したり、ポリシランのサーモクロミズムを使用したりすることができる。
【００２４】
この場合、可逆型の示温材料が使用されるので、例えば、示温材料の温度が、色調が変化する温度、すなわち、示温温度以上になると、色調が変化するが、温度が示温温度より低くなると、元の色調に戻る。なお、前記示温温度には、ヒステリシスがあり、温度が高くなるときの示温温度は、温度が低くなるときの示温温度より高い。
【００２５】
このように、本実施の形態においては、ストロー２５に色調変化材から成る温度表示部が形成されるので、包装容器１１の内部に収容された液体食品の温度が適正であるかどうかを容易に判断することができる。
【００２６】
したがって、液体食品を適温の状態で飲用することができる。
【００２７】
なお、本発明は前記実施の形態に限定されるものではなく、本発明の趣旨に基づいて種々変形させることが可能であり、それらを本発明の範囲から排除するものではない。
【図面の簡単な説明】
【００２８】
【図１】本発明の実施の形態における包装容器の斜視図である。
【図２】本発明の実施の形態におけるストローの側面図である。
【符号の説明】
【００２９】
１１    包装容器
２５    ストロー
【図１】
2007167087.tif 000003
【図２】
2007167087.tif 000004